【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
撮像素子と、
自動撮影の条件を充足した状態であるか否かを逐次判断し、この自動撮影の条件を充足した状態であると判断されると、前記撮像素子により撮像された画像データを自動的に記録する自動撮影制御手段と、
絞り優先では無いモードによる自動露出調整を行った後、前記自動撮影制御手段による自動撮影の条件判断を開始すると、絞り優先モードによる自動露出調整を行う自動露出制御手段と、
を備えることを特徴とする撮像装置。
【請求項２】
前記自動露出制御手段は、絞り優先では無いモードによる自動露出調整を行った後、前記自動撮影制御手段による自動撮影の条件判断を開始してから自動撮影の条件を充足したと判断されるまでの間に、絞り優先モードによる自動露出調整を行うことを特徴とする請求項１記載の撮像装置。
【請求項３】
前記自動露出制御手段は、絞り優先では無いモードによる自動露出調整を行った後、前記自動撮影制御手段による自動撮影の条件判断を開始すると同時あるいは開始した直後に、絞り優先モードによる自動露出調整を行うことを特徴とする請求項２記載の撮像装置。
【請求項４】
前記絞り優先では無いモードによる自動露出調整は、被写体の明るさに応じて絞り値とシャッター速度の両方を変化させ、
前記絞り優先モードによる自動露出調整は、絞り値を固定した状態で、被写体の明るさに応じてシャッター速度を変化させることを特徴とする請求項１記載の撮像装置。
【請求項５】
前記絞り優先モードによる自動露出調整は、前記絞り優先では無いモードによる自動露出調整で設定された絞り値となるように絞り値を固定した状態で、被写体の明るさに応じてシャッター速度を変化させることを特徴とする請求項４記載の撮像装置。
【請求項６】
前記自動撮影制御手段は、前記撮像素子により撮像された画像データに基づき自動撮影の条件を充足した状態であるか否かを判断することを特徴とする請求項１記載の撮像装置。
【請求項７】
前記自動撮影制御手段により自動撮影の条件を充足した状態であると判断された後に、絞り優先モードによる自動露出調整を行う制御手段を更に備えたことを特徴とする請求項１記載の撮像装置。
【請求項８】
前記撮像素子を用いて周期的に被写体を撮像するとともに、この撮像される画像を周期的に表示するスルー画像表示手段と、
前記スルー画像表示手段による周期的な撮像において、絞り優先モードで露出追従させて撮像していくことを特徴とする請求項１記載の撮像装置。
【請求項９】
前記撮像素子により撮像された画像データに基づき自動撮影の条件を所定の範囲内で充足した状態であるか否かを判断する第２の判断手段を備え、
前記自動露出制御手段は、前記第２の判断手段により自動撮影の条件を所定の範囲内で充足した状態であると判断される前は絞り優先では無いモードによる自動露出調整を行い、自動撮影の条件を所定の範囲内で充足した状態であると判断された後は絞り優先モードによる自動露出調整を行うことを特徴とする請求項１記載の撮像装置。
【請求項１０】
前記撮像素子により撮像された画像データに基づき自動撮影の条件を所定の範囲内で充足した状態であるか否かを判断する第２の判断手段と、
絞り優先では無いモードによる自動露出調整を行って決定された露出条件を記憶する露出条件記憶手段と、を備え、
前記自動露出制御手段は、前記第２の判断手段により自動撮影の条件を所定の範囲内で充足した状態であると判断される前は絞り優先では無いモードによる自動露出調整を行い、
前記自動撮影制御手段は、自動撮影の条件を充足した状態であると判断されると、前記露出条件記憶手段により記憶された露出条件で前記撮像素子により撮像された画像データを記録することを特徴とする請求項１記載の撮像装置。
【請求項１１】
前記自動露出制御手段は、前記自動撮影の条件を充足した状態であると判断される前に、前記撮像素子により撮像された画像データに基づき絞り優先モードによる自動露出調整を行って露出条件を決定し、
前記自動撮影制御手段は、自動撮影の条件を充足した状態であると判断されると、前記自動露出制御手段により直近に決定した露出条件で前記撮像素子により撮像された画像データを記録することを特徴とする請求項１記載の撮像装置。
【請求項１２】
前記自動露出制御手段は、自動撮影の条件を充足した状態であると判断される前に、前記撮像素子により撮像された画像データに基づいて被写体の明るさに変化があったか否かを判断し、被写体の明るさ変化があった場合に、絞り優先モードによる自動露出調整を行って露出条件を決定し、
前記自動撮影制御手段は、自動撮影の条件を充足した状態であると判断されると、前記自動露出制御手段により直近に決定した露出条件で前記撮像素子により撮像された画像データを記録することを特徴とする請求項１記載の撮像装置。
【請求項１３】
前記自動露出制御手段は、自動撮影の条件を充足した状態であると判断されると、前記撮像素子制御手段により撮像された画像データに基づき絞り優先モードによる自動露出調整を行って露出条件を決定し、
前記自動撮影制御手段は、前記自動露出制御手段により決定した露出条件で前記撮像素子により撮像された画像データを記録することを特徴とする請求項１記載の撮像装置。
【請求項１４】
自動撮影の条件を充足した状態であるか否かを逐次判断し、この自動撮影の条件を充足した状態であると判断されると、撮像素子により撮像された画像データを自動的に記録する自動撮影制御処理と、
絞り優先では無いモードによる自動露出調整を行った後、前記自動撮影制御処理による自動撮影の条件判断を開始してから自動撮影の条件を充足したと判断されるまでの間に、絞り優先モードによる自動露出調整を行う自動露出制御処理と、
を含むことを特徴とする撮像装置の制御方法。
【請求項１５】
自動撮影の条件を充足した状態であるか否かを逐次判断し、この自動撮影の条件を充足した状態であると判断されると、撮像素子により撮像された画像データを自動的に記録する自動撮影制御処理と、
絞り優先では無いモードによる自動露出調整を行った後、前記自動撮影制御処理による自動撮影の条件判断を開始してから自動撮影の条件を充足したと判断されるまでの間に、絞り優先モードによる自動露出調整を行う自動露出制御処理と、
を撮像装置が備えるコンピュータに実行させるためのプログラム。
【手続補正２】
【補正対象書類名】明細書
【補正対象項目名】０００６
【補正方法】変更
【補正の内容】
【０００６】
請求項１記載の発明は、撮像素子と、自動撮影の条件を充足した状態であるか否かを逐次判断し、この自動撮影の条件を充足した状態であると判断されると、前記撮像素子により撮像された画像データを自動的に記録する自動撮影制御手段と、絞り優先では無いモードによる自動露出調整を行った後、前記自動撮影制御手段による自動撮影の条件判断を開始すると、絞り優先モードによる自動露出調整を行う自動露出制御手段と、を備えることを特徴とする。
【手続補正３】
【補正対象書類名】明細書
【補正対象項目名】０００７
【補正方法】変更
【補正の内容】
【０００７】
請求項２記載の発明は、前記自動露出制御手段は、絞り優先では無いモードによる自動露出調整を行った後、前記自動撮影制御手段による自動撮影の条件判断を開始してから自動撮影の条件を充足したと判断されるまでの間に、絞り優先モードによる自動露出調整を行うことを特徴とする。
【手続補正４】
【補正対象書類名】明細書
【補正対象項目名】０００８
【補正方法】変更
【補正の内容】
【０００８】
請求項３記載の発明は、前記自動露出制御手段は、絞り優先では無いモードによる自動露出調整を行った後、前記自動撮影制御手段による自動撮影の条件判断を開始すると同時あるいは開始した直後に、絞り優先モードによる自動露出調整を行うことを特徴とする。
【手続補正５】
【補正対象書類名】明細書
【補正対象項目名】０００９
【補正方法】変更
【補正の内容】
【０００９】
請求項４記載の発明は、前記絞り優先では無いモードによる自動露出調整は、被写体の明るさに応じて絞り値とシャッター速度の両方を変化させ、前記絞り優先モードによる自動露出調整は、絞り値を固定した状態で、被写体の明るさに応じてシャッター速度を変化させることを特徴とする。
【手続補正６】
【補正対象書類名】明細書
【補正対象項目名】００１０
【補正方法】変更
【補正の内容】
【００１０】
請求項５記載の発明は、前記絞り優先モードによる自動露出調整は、前記絞り優先では無いモードによる自動露出調整で設定された絞り値となるように絞り値を固定した状態で、被写体の明るさに応じてシャッター速度を変化させることを特徴とする。
【手続補正７】
【補正対象書類名】明細書
【補正対象項目名】００１１
【補正方法】変更
【補正の内容】
【００１１】
請求項６記載の発明は、前記自動撮影制御手段は、前記撮像素子により撮像された画像データに基づき自動撮影の条件を充足した状態であるか否かを判断することを特徴とする。
【手続補正８】
【補正対象書類名】明細書
【補正対象項目名】００１２
【補正方法】変更
【補正の内容】
【００１２】
請求項７記載の発明は、前記自動撮影制御手段により自動撮影の条件を充足した状態であると判断された後に、絞り優先モードによる自動露出調整を行う制御手段を更に備えたことを特徴とする。
請求項８記載の発明は、前記撮像素子を用いて周期的に被写体を撮像するとともに、この撮像される画像を周期的に表示するスルー画像表示手段と、前記スルー画像表示手段による周期的な撮像において、絞り優先モードで露出追従させて撮像していくことを特徴とする。
請求項９記載の発明は、前記撮像素子により撮像された画像データに基づき自動撮影の条件を所定の範囲内で充足した状態であるか否かを判断する第２の判断手段を備え、前記自動露出制御手段は、前記第２の判断手段により自動撮影の条件を所定の範囲内で充足した状態であると判断される前は絞り優先では無いモードによる自動露出調整を行い、自動撮影の条件を所定の範囲内で充足した状態であると判断された後は絞り優先モードによる自動露出調整を行うことを特徴とする。
請求項１０記載の発明は、前記撮像素子により撮像された画像データに基づき自動撮影の条件を所定の範囲内で充足した状態であるか否かを判断する第２の判断手段と、絞り優先では無いモードによる自動露出調整を行って決定された露出条件を記憶する露出条件記憶手段と、を備え、前記自動露出制御手段は、前記第２の判断手段により自動撮影の条件を所定の範囲内で充足した状態であると判断される前は絞り優先では無いモードによる自動露出調整を行い、前記自動撮影制御手段は、自動撮影の条件を充足した状態であると判断されると、前記露出条件記憶手段により記憶された露出条件で前記撮像素子により撮像された画像データを記録することを特徴とする。
請求項１１記載の発明は、前記自動露出制御手段は、前記自動撮影の条件を充足した状態であると判断される前に、前記撮像素子により撮像された画像データに基づき絞り優先モードによる自動露出調整を行って露出条件を決定し、前記自動撮影制御手段は、自動撮影の条件を充足した状態であると判断されると、前記自動露出制御手段により直近に決定した露出条件で前記撮像素子により撮像された画像データを記録することを特徴とする。
請求項１２記載の発明は、前記自動露出制御手段は、自動撮影の条件を充足した状態であると判断される前に、前記撮像素子により撮像された画像データに基づいて被写体の明るさに変化があったか否かを判断し、被写体の明るさ変化があった場合に、絞り優先モードによる自動露出調整を行って露出条件を決定し、前記自動撮影制御手段は、自動撮影の条件を充足した状態であると判断されると、前記自動露出制御手段により直近に決定した露出条件で前記撮像素子により撮像された画像データを記録することを特徴とする。
【手続補正９】
【補正対象書類名】明細書
【補正対象項目名】００１３
【補正方法】変更
【補正の内容】
【００１３】
請求項１３記載の発明は、前記自動露出制御手段は、自動撮影の条件を充足した状態であると判断されると、前記撮像素子制御手段により撮像された画像データに基づき絞り優先モードによる自動露出調整を行って露出条件を決定し、前記自動撮影制御手段は、前記自動露出制御手段により決定した露出条件で前記撮像素子により撮像された画像データを記録することを特徴とする。
請求項１４記載の発明は、自動撮影の条件を充足した状態であるか否かを逐次判断し、この自動撮影の条件を充足した状態であると判断されると、撮像素子により撮像された画像データを自動的に記録する自動撮影制御処理と、絞り優先では無いモードによる自動露出調整を行った後、前記自動撮影制御処理による自動撮影の条件判断を開始してから自動撮影の条件を充足したと判断されるまでの間に、絞り優先モードによる自動露出調整を行う自動露出制御処理と、を含むことを特徴とする。
請求項１５記載の発明は、自動撮影の条件を充足した状態であるか否かを逐次判断し、この自動撮影の条件を充足した状態であると判断されると、撮像素子により撮像された画像データを自動的に記録する自動撮影制御処理と、絞り優先では無いモードによる自動露出調整を行った後、前記自動撮影制御処理による自動撮影の条件判断を開始してから自動撮影の条件を充足したと判断されるまでの間に、絞り優先モードによる自動露出調整を行う自動露出制御処理と、を撮像装置が備えるコンピュータに実行させるためのプログラムであることを特徴とする。